(57)【要約】【課題】必要とするキャパシタの数を削減し、且つ電源電圧が低下しても基準電圧回路から出力する基準電圧の変動を防止できるようにする。【解決手段】電源投入時に定電流回路１０に起動電流を供給するキャパシタＣ１と、該キャパシタＣ１に流れる起動電流を入力しそのミラー電流が出力するカレントミラー回路（ＭＮ３１，ＭＮ３２）とを設ける。そして、該カレントミラー回路の出力電流を基準電圧回路２０に起動電流として供給する。【選択図】図１
2010187249.tif 000002
【特許請求の範囲】
【請求項１】
第１の回路と第２の回路を起動させるスタートアップ回路において、
電源投入時に前記第１の回路に起動電流を供給するキャパシタと、該キャパシタに流れる起動電流を入力しそのミラー電流が出力するカレントミラー回路とからなり、該カレントミラー回路の出力電流を前記第２の回路に起動電流として供給するようにしたことを特徴とするスタートアップ回路。
【請求項２】
定電流回路と基準電圧回路を起動させるスタートアップ回路において、
電源投入時に前記定電流回路に起動電流を供給するキャパシタと、該キャパシタに流れる起動電流を入力しそのミラー電流が出力するカレントミラー回路とからなり、該カレントミラー回路の出力電流を前記基準電圧回路に起動電流として供給するようにしたことを特徴とするスタートアップ回路。
【請求項３】
請求項２に記載のスタートアップ回路において、
前記基準電圧回路は、電流源トランジスタを有するレファレンス生成回路と、該レファレンス生成回路の２つのレファレンスノードの電圧を入力し前記レファレンス生成回路の前記電流源トランジスタを制御して前記２つのレファレンスノードの電位が同一になるよう制御する差動増幅回路とを備え、
前記カレントミラー回路の前記出力電流が前記レファレンス生成回路の前記電流源トランジスタを起動することを特徴とするスタートアップ回路。
【発明の詳細な説明】
【技術分野】
【０００１】
本発明は、電源投入時に対象回路を起動するスタートアップ回路に関するものである。
【背景技術】
【０００２】
図２に、定電流回路（第１の回路）１０と基準電圧回路（第２の回路）２０とを起動させる従来のスタートアップ回路３０Ａ，３０Ｂを示す。定電流回路１０は、カレントミラー接続されたＰＭＯＳトランジスタＭＰ１１，ＭＰ１２、別のカレントミラー接続されたＮＭＯＳトランジスタＭＮ１１，ＭＮ１２、および抵抗Ｒ１１からなり、抵抗Ｒ１１に依存し電源電圧ＶＤＤ，ＶＳＳに依存しない定電流Ｉoutが流れ、トランジスタＭＰ１１，ＭＮ１１のドレインから、図示しない電流源トランジスタのゲートバイアスとして使用される電圧Ｖoutが取り出される。
【０００３】
基準電圧回路２０は、差動接続されたＮＭＯＳトランジスタＭＮ２１，ＭＮ２２、カレントミラー接続されたＰＭＯＳトランジスタＭＰ２１，ＭＰ２２、抵抗Ｒ２４、ベースが共通接続された電流源としてのＰＭＯＳトランジスタＭＰ２３，ＭＰ２４，ＭＰ２５、ダーリントン接続されたＰＮＰトランジスタＱ２１，Ｑ２２、別のダーリントン接続されたＰＮＰトランジスタＱ２３，Ｑ２４，および抵抗Ｒ２１，Ｒ２２，Ｒ２３からなる。トランジスタＭＰ２３〜ＭＰ２５，Ｑ２１〜Ｑ２４、抵抗Ｒ２１〜Ｒ２３はレファレンス回路を構成する。また、トランジスタＭＮ２１，ＭＮ２２，ＭＰ２１，ＭＰ２２、抵抗Ｒ２４は、差動増幅回路を構成し、レファレンス回路のレファレンスノードＮ１，Ｎ２の電圧を入力して、その電圧が同一となるように、電流源トランジスタＭＰ２３〜ＭＰ２５のゲート電位を調整する。これにより、出力ノードＮ３から温度に依存しない基準電圧Ｖrefが得られる。
【０００４】
スタートアップ回路３０Ａは、定電流回路１０用であり、定電流回路１０のトランジスタＭＰ１２，ＭＮ１２の共通ドレインと負電源電圧ＶＳＳの端子との間に接続されたキャパシタＣ１で構成されている。このスタートアップ回路３０Ａは、電源投入時に、キャパシタＣ１に流れる充電電流によって、トランジスタＭＰ１１，ＭＰ１２にゲートバイアスを印加することで、定電流回路１０を起動させる。
【０００５】
スタートアップ回路３０Ｂは、基準電圧回路２０用であり、基準電圧回路２０の電流源トランジスタＭＰ２３〜ＭＰ２５のゲートと負電源電圧ＶＳＳの端子との間に接続されたキャパシタＣ２で構成されている。このスタートアップ回路３０Ｂは、電源投入時に、キャパシタＣ２に流れる充電電流によって、電流源トランジスタＭＰ２３〜ＭＰ２５にゲートバイアスを印加することで、基準電圧回路２０を起動させる。
【発明の概要】
【発明が解決しようとする課題】
【０００６】
ところが、図２の回路では、定電流回路１０用と基準電圧回路２０用として、個々にキャパシタＣ１，Ｃ２が必要であり、回路規模が大きくなる。また、一旦起動した後に、正電源電圧ＶＤＤが急激に低下すると、キャパシタＣ２の電荷は急激には低下しないので、電流源トランジスタＭＰ２３〜ＭＰ２５のソース・ゲート間の電位差が小さくなり、その電流源トランジスタＭＰ２３〜ＭＰ２５のドレイン電流が減少乃至遮断されて、基準電圧回路（第２の回路）２０から出力する基準電圧Ｖrefの値が変動してしまう。
【０００７】
本発明は以上のような点に鑑みてなされたもので、その目的は、必要とするキャパシタの数を削減し、且つ電源電圧が低下しても第２の回路から出力する電圧の変動を防止できるようにしたスタートアップ回路を提供することである。
【課題を解決するための手段】
【０００８】
上記目的を達成するために、請求項１にかかる発明は、第１の回路と第２の回路を起動させるスタートアップ回路において、電源投入時に前記第１の回路に起動電流を供給するキャパシタと、該キャパシタに流れる起動電流を入力しそのミラー電流が出力するカレントミラー回路とからなり、該カレントミラー回路の出力電流を前記第２の回路に起動電流として供給するようにしたことを特徴とする。
請求項２にかかる発明は、定電流回路と基準電圧回路を起動させるスタートアップ回路において、電源投入時に前記定電流回路に起動電流を供給するキャパシタと、該キャパシタに流れる起動電流を入力しそのミラー電流が出力するカレントミラー回路とからなり、該カレントミラー回路の出力電流を前記基準電圧回路に起動電流として供給するようにしたことを特徴とする。
請求項３にかかる発明は、請求項２に記載のスタートアップ回路において、前記基準電圧回路は、電流源トランジスタを有するレファレンス生成回路と、該レファレンス生成回路の２つのレファレンスノードの電圧を入力し前記レファレンス生成回路の前記電流源トランジスタを制御して前記２つのレファレンスノードの電位が同一になるよう制御する差動増幅回路とを備え、前記カレントミラー回路の前記出力電流が前記レファレンス生成回路の前記電流源トランジスタを起動することを特徴とする。
【発明の効果】
【０００９】
本発明によれば、第１の回路のスタートアップ用のキャパシタを第２の回路のスタートアップ用に兼用するので、キャパシタの数を１つに削減でき、回路規模を小さくすることができる。また、起動の後に第２の回路に接続される容量は、スタートアップ回路のカレントミラー回路の出力側のトランジスタの内部容量であるので、その容量は小さく、急激な電源電圧の変動の影響を受けにくくなる。
【図面の簡単な説明】
【００１０】
【図１】定電流回路および基準電圧回路用の本発明の実施例のスタートアップ回路の回路図である。
【図２】定電流回路および基準電圧回路用の従来例のスタートアップ回路の回路図である。
【発明を実施するための形態】
【００１１】
図１に、定電流回路（第１の回路）１０と基準電圧回路（第２の回路）２０とを起動させる本発明の実施例のスタートアップ回路３０を示す。図２で説明したものと同じものには同じ符号を付けて、その詳しい説明は省略する。スタートアップ回路３０は、キャパシタＣ１とＮＭＯＳトランジスタＭＮ３１，ＭＮ３２とから構成されている。このトランジスタＭＮ３１，ＭＮ３２は、そのゲートがトランジスタＭＮ３１のドレインとキャパシタＣ１に共通接続されたカレントミラー回路を構成する。
【００１２】
本実施例では、電源投入時に、キャパシタＣ１に流れる電流によって、定電流回路１０のトランジスタＭＰ１１，ＭＰ１２にゲートバイアスが印加され、その定電流回路１０が起動する。また、このキャパシタＣ１に流れる電流は、トランジスタＭＮ３１，ＭＮ３２によってミラーされるので、基準電圧回路２０の電流源トランジスタＭＰ２３〜ＭＰ２５にゲートバイアスが印加され、その基準電圧回路２０が起動する。
【００１３】
起動後は、キャパシタＣ１には電流は流れず、カレントミラー回路のトランジスタＭＮ３１，ＭＮ３２は遮断状態となる。このとき、トランジスタＭＮ３２のソース・ドレイン間の容量は、従来のキャパシタＣ２に比べると遙かに小さいので、起動の後に正電源電圧ＶＤＤに急激な変動が発生しても、出力電圧Ｖrefへの影響は極めて小さくなる。
【００１４】
このように、本実施例では、定電流回路１０と基準電圧回路２０のスタートアップ回路用として、キャパシタが１個ですみ、従来に比較してキャパシタの数を半減できるので、回路規模を小さくできる。また、電源投入の後に遮断状態となるトランジスタＭＮ３２のソース・ドレイン間容量が小さいことで、正電源電圧ＶＤＤの急激な変動の影響を防ぐことができる。
【００１５】
なお、以上の実施例において、トランジスタの極性をそれぞれ反対にした構成に変更しても、同様に動作する。また、定電流回路１０と基準電圧回路２０は、その配置を反対にしても同様に動作する。さらに、２つの定電流回路または基準電圧回路間にスタートアップ回路を配置しても、同様に動作する。つまり、第１回路、第２の回路は、定電流回路、基準電圧回路のいずれであっても良く、他の回路であっても良い。
【符号の説明】
【００１６】
１０：定電流回路
２０：基準電圧回路
３０，３０Ａ，３０Ｂ：スタートアップ回路
ＭＰ１１，ＭＰ１２，ＭＰ２１〜ＭＰ２５：ＰＭＯＳトランジスタ
ＭＮ１１，ＭＮ１２，ＭＮ２１，ＭＮ２２，ＭＮ３１，ＭＮ３２：ＮＭＯＳトランジスタ
Ｑ２１〜Ｑ２４：ＰＮＰトランジスタ
Ｒ１１，Ｒ２１〜Ｒ２３：抵抗
Ｃ１，Ｃ２：キャパシタ
Ｎ１，Ｎ２：レファレンスノード
Ｎ３：出力ノード
【図１】
2010187249.tif 000003
【図２】
2010187249.tif 000004